(57)【要約】【課題】録画再生装置に接続された外部機器の再生性能を考慮して、コンテンツの再生がより適切になるように前記外部機器への出力設定を決定する。【解決手段】ＡＶレコーダー（録画再生装置）１０のＨＤＭＩ制御部（接続部及び情報取得部）１３０は本ＡＶレコーダー１０に接続された外部機器（ＴＶ受像器及び音声サラウンド装置等）の属性情報をＨＤＭＩケーブル２１等を通じて取得する。コンテンツ管理部１６５は、録画対象コンテンツに関する番組情報等の情報と、前記ＨＤＭＩ制御部１３０が取得した外部機器の属性情報とに基づいて、該録画対象コンテンツの再生に対応した外部機器への出力設定を決定する。【選択図】図２
2017152960.tif 000002
【特許請求の範囲】
【請求項１】
コンテンツを記憶する記憶部と、
外部機器と接続可能な接続部と、
前記外部機器の属性情報を取得する情報取得部と、
前記コンテンツの録画及び再生を管理する管理部とを備え、
前記管理部は、
コンテンツ毎に、前記コンテンツに関する情報と、前記外部機器の属性情報とに基づいて、該コンテンツの再生に対応した前記外部機器への出力設定を決定する
ことを特徴とする録画再生装置。
【請求項２】
前記請求項１に記載の録画再生装置において、
前記外部機器の属性情報は、再生性能に関する情報である
ことを特徴とする録画再生装置。
【請求項３】
前記請求項１又は２に記載の録画再生装置において、
前記コンテンツに関する情報は、コンテンツの番組名、ジャンル、映像の表示解像度、サラウンド音声の種類、字幕の有無、視聴制限の有無の少なくとも１つを含む
ことを特徴とする録画再生装置。
【請求項４】
前記請求項１〜３の何れか１項に記載の録画再生装置において、
前記外部機器は映像表示装置であり、
前記映像表示装置の属性情報は、解像度の種類及び表示画面の大小の少なくとも１つを含む
ことを特徴とする録画再生装置。
【請求項５】
前記請求項１〜４の何れか１項に記載の録画再生装置において、
前記外部機器は音声装置であり、
前記音声装置の属性情報は、対応オーディオフォーマット及びスピーカの数の少なくとも１つを含む
ことを特徴とする録画再生装置。
【請求項６】
前記請求項１〜５の何れか１項に記載の録画再生装置において、
前記管理部は、
前記コンテンツに関する情報と、前記外部機器の属性情報とが一部重複し、前記重複した情報同士が一致しないとき、前記外部機器の一部重複する属性情報を優先して前記外部機器への出力設定を決定する
ことを特徴とする録画再生装置。
【請求項７】
前記請求項１〜６の何れか１項に記載の録画再生装置において、
前記記憶部には、
前記管理部により、コンテンツの録画時に、録画対象コンテンツに関連付けて、前記録画対象コンテンツに関する情報と、前記外部機器の属性情報と、前記決定した外部機器への出力設定とが記憶される
ことを特徴とする録画再生装置。
【請求項８】
前記請求項１〜７の何れか１項に記載の録画再生装置において、
前記外部機器への出力設定の変更の指示を受け付ける操作部を有し、
前記管理部は、
前記操作部が受け付けた指示に基づいて、前記決定した外部機器への出力設定を更新する
ことを特徴とする録画再生装置。
【請求項９】
前記請求項７記載の録画再生装置において、
前記管理部は、
前記記憶部に既に記憶したコンテンツの中に、前記記憶部に新たに記憶するコンテンツに対して前記コンテンツに関する情報が類似し且つ前記外部機器の属性情報が同一である類似コンテンツがある場合には、前記類似コンテンツに関連付けられた前記外部機器への出力設定を、前記記憶部に新たに記憶するコンテンツに関連付ける外部機器への出力設定として決定する
ことを特徴とする録画再生装置。
【請求項１０】
前記請求項１〜９の何れか１項に記載の録画再生装置において、
前記管理部は、
前記記憶部に記憶されたコンテンツを削除する場合、当該コンテンツに関連付けられて記憶された該コンテンツに関する情報、外部機器の属性情報及び外部機器への出力設定はそのまま記憶しておく
ことを特徴とする録画再生装置。
【請求項１１】
請求項１〜１０の何れか１項に記載の録画再生装置において、
前記管理部は、
１つの録画対象コンテンツに関連付けて複数の出力設定を記憶部に記憶する
ことを特徴とする録画再生装置。
【請求項１２】
前記請求項１〜１１の何れか１項に記載の録画再生装置において、
前記管理部は、
コンテンツの再生時に、前記再生時に前記情報取得部が取得している外部機器の属性情報を再生対象コンテンツに関連付けられた外部機器の属性情報と比較し、一致しないとき、前記再生対象コンテンツに関連付けられた該コンテンツに関する情報と前記再生時の外部機器の属性情報とに基づいて、前記再生対象コンテンツの再生に対応した外部機器への出力設定を新たに決定する
ことを特徴とする録画再生装置。
【請求項１３】
前記請求項１２記載の録画再生装置において、
前記管理部は、
前記再生時の外部機器の属性情報と、前記新たに決定された外部機器への出力設定とを、前記再生対象コンテンツに関連付けて記憶部に記憶する
ことを特徴とする録画再生装置。
【発明の詳細な説明】
【技術分野】
【０００１】
本発明は、ＢＤ（Blu-ray Disc）［登録商標］レコーダーなどの録画再生装置に関し、特に、録画したコンテンツの再生時にその映像や音声をより適切にするための改良に関する。
【背景技術】
【０００２】
従来、この種の録画再生装置として、特許文献１の出力制御装置では、録画又は予約録画したテレビ番組などのコンテンツの再生時に、その再生するコンテンツに関連付けて、その再生時での映像の明るさやコントラスト、画質等のテレビへの出力パラメータを、その視聴者のリモコン装置の操作に応じた出力パラメータに設定して記憶部に記憶する技術が記載されている。
【０００３】
また、前記特許文献１には、テレビへの画質等の出力パラメータを、そのコンテンツの録画時や予約録画時においてテレビに設定されている出力パラメータに設定して記憶部に記憶する技術が記載されている。更に、同特許文献には、コンテンツの再生時にユーザー（視聴者）がリモコン装置を操作して画質パラメータ等の設定変更を指示した場合には、前記記憶部に記憶されたその再生コンテンツに関連付けられた画質パラメータ等を、その指示変更を受けた画質パラメータ等に更新することが記載されている。
【０００４】
また、従来、特許文献２には、自動テレビ接続設定装置として、予め内部に、コンテンツの内容（種類）（例えば「スポーツ」、「音楽」、「映画」、「ドラマ」のジャンル）を表す項目と、テレビの設定内容（例えば「映像メニュー」、「サウンドメニュー」、「映像情報」、「音声情報」）を表す複数項目とを対応付けた表（整合データテーブル）を用意し、例えばコンテンツのジャンル＝スポーツでは、その内容（種類）に適切なテレビの設定内容として、「映像メニュー」＝ダイナミック、「サウンドメニュー」＝スタジアム、「映像情報」＝Ｄ４>Ｄ３>Ｄ２>Ｄ１「音声情報」＝ステレオ>モノラルに設定し、コンテンツのジャンル＝映画では、「映像メニュー」＝シネマ、「サウンドメニュー」＝シネマ、「映像情報」＝Ｄ４>Ｄ３>Ｄ２>Ｄ１、「音声情報」＝ステレオ>モノラルに設定した整合データテーブルを記憶している。そして、例えばコンテンツのジャンル＝スポーツの再生時には、現在のテレビの設定情報Ｉｔを取得し、その設定情報Ｉｔが示すテレビの設定内容（「映像メニュー」、「サウンドメニュー」等）と、前記整合データテーブル上のコンテンツのジャンル＝スポーツに設定された「映像メニュー」、「サウンドメニュー」等との整合の有無を判定し、整合が取れていない場合には、テレビの設定内容を整合データテーブル上のコンテンツのジャンル＝スポーツに設定された「映像メニュー」＝ダイナミック、「サウンドメニュー」＝スタジアム等に変換を指示し、再設定して、コンテンツのジャンル＝スポーツに適切なテレビ設定（映像設定、音声設定）を自動的に行うようにしている。
【先行技術文献】
【特許文献】
【０００５】
【特許文献１】特許第５２８１７２１号
【特許文献２】特開２００８−２２７６４１号公報
【発明の概要】
【発明が解決しようとする課題】
【０００６】
しかしながら、前記従来技術では次の欠点がある。先ず、特許文献１の技術では、視聴者のリモコン装置の操作によりテレビへの出力パラメータを設定する構成であるため、出力パラメータを適切な設定とするためには、コンテンツの内容と外部機器の再生性能の双方を視聴者（ユーザー）が的確に把握している必要がある。しかし、外部機器の再生性能には、映像設定でも解像度や表示画面アスペクト比の種類など多岐に亘っており、外部機器の再生性能の全てを視聴者が細かく把握することは困難である。従って、視聴者の操作に基づく場合には、出力パラメータを適切に設定するにも限界がある。
【０００７】
また、特許文献１の技術では、設定する出力パラメータとして、コンテンツの録画時や予約録画時でのテレビ設定（画質等の出力パラメータ）を画一的に採用する構成でもあるため、ユーザーのリモコン操作は本来不要であるものの、その録画時や予約録画時でのテレビ設定が最適であるとは限らない。従って、実際のコンテンツ再生時には、視聴者は再生映像や音声を見聞きしながら、画質等の出力パラメータを適切な設定とするためにリモコン操作が必要になる場合も少なくない。
【０００８】
一方、特許文献２の技術では、コンテンツの内容（種類）を表す項目とテレビの設定内容を表す複数項目とを対応付けた整合データテーブルを予め記憶しておく構成であるため、再生性能が予め把握決定されている外部機器（テレビ等）でコンテンツを再生する必要がある。従って、例えばＢＤ（Blu-ray Disc）レコーダーなどの録画再生装置に種々のテレビや音声サラウンド装置を接続してコンテンツを再生可能とする構成では、その接続されるテレビや音声サラウンド装置等の外部機器の再生性能、例えばテレビでは映像の解像度や表示画面の大小は接続されるテレビによって異なり、また音声サラウンド装置では５．１ｃｈか７．１ｃｈ等でスピーカの数が異なるため、再生するコンテンツの映像や音声を整合データテーブルで予め設定した出力パラメータで画一的に出力しても、再生コンテンツを解像度のより高い映像やスピーカ数がより多いサラウンド音声で最適に再生可能な場合も多いことが想定される。
【０００９】
更に、特許文献２記載の技術では、コンテンツの再生時には、必ず現在のテレビ設定（出力パラメータ）を取得し、このテレビ設定を整合データテーブルと照合して整合の有無を判定するため、現在のテレビ設定を変更する必要が無い場合には、現在のテレビ設定の取得や整合データテーブルとの照合は本来不必要であり、無駄となる。
【００１０】
本発明は、係る点に鑑み、その目的は、ＢＤ（Blu-ray Disc）レコーダーなどの録画再生装置において、ユーザーの出力パラメータの変更操作（リモコン操作）を要することなく、当該録画再生装置に接続されるテレビや音声サラウンド装置などの外部機器の種類（再生性能）に拘わらず、再生するコンテンツの内容に応じてそのコンテンツをより適切な映像や音声で再生させることにある。
【課題を解決するための手段】
【００１１】
前記目的を達成するため、本発明では、録画再生装置に接続された外部機器の再生性能に関する情報を取得し、この取得した外部機器の再生性能に関する情報と、コンテンツの番組名やジャンルなどのコンテンツ内容とに応じて、再生するコンテンツの映像や音声の出力設定をより適切に決定する。
【００１２】
具体的に、主な請求項を挙げると次の通りである。
【００１３】
請求項１に係る録画再生装置は、コンテンツを記憶する記憶部と、外部機器と接続可能な接続部と、前記外部機器の属性情報を取得する情報取得部と、前記コンテンツの録画及び再生を管理する管理部とを備え、前記管理部は、コンテンツ毎に、前記コンテンツに関する情報と、前記外部機器の属性情報とに基づいて、該コンテンツの再生に対応した前記外部機器への出力設定を決定することを特徴とする。
【００１４】
前記の構成により、請求項１記載の発明では、本録画再生装置の接続部に接続された外部機器の属性情報が情報取得部により取得される。そして、管理部は、上記取得された外部機器の属性情報と、再生するコンテンツの内容（番組名やジャンル等）とに基づいて、その再生するコンテンツの再生に対応した外部機器への映像や音声の出力設定を決定する。
【００１５】
従って、映像や音声の再生性能がどのような外部機器が本録画再生装置に接続された場合であっても、その接続された外部機器の再生性能とコンテンツの内容との双方を考慮して、コンテンツの再生がより適切となるように外部機器への出力設定を決定することができる。例えば、再生するコンテンツの内容（解像度）が４８０ｉであったとしても、接続されたテレビ（外部機器）の映像の解像度が高い（例えば１８００ｐ）場合には、このテレビ（外部機器）への映像の解像度の出力設定を解像度（１８００ｉ）に決定できるので、コンテンツの内容（解像度）に従った映像よりも高精細な映像で再生することが可能である。
【００１６】
また、管理部が外部機器への出力設定を自動で決定するので、ユーザー（視聴者）はコンテンツの内容や外部機器の再生性能を含む属性情報を細かく把握している必要がない。従って、ユーザー（視聴者）はコンテンツの内容に応じて外部機器で如何なる出力設定が適切かを把握したり、接続された外部機器の属性情報に関する知識がなくても、再生するコンテンツの映像や音声をより適切な状態で視聴することが可能である。
【００１７】
更に、接続された外部機器への出力設定は、情報取得部が取得したその外部機器の属性情報にも基づいて決定されるので、従来のように現時点（録画時や予約録画時）の出力設定（最適でない可能性のある出力設定）をそのまま利用する場合に比して、より適切な出力設定が確実に可能である。
【００１８】
加えて、従来技術のようにコンテンツの再生時毎に現在のテレビ設定（出力パラメータ）を取得したり、整合データテーブルを用意したり、その取得したテレビ設定を整合データテーブルと照合する必要がないので、無駄がない。
【００１９】
また、請求項６記載の録画再生装置では、前記管理部は、前記コンテンツに関する情報と、前記外部機器の属性情報とが一部重複し、前記重複した情報同士が一致しないとき、前記外部機器の一部重複する属性情報を優先して前記外部機器への出力設定を決定することを特徴とする。
【００２０】
本録画再生装置では、外部機器の属性情報を優先して外部機器への出力設定が決定されるので、例えばコンテンツに関する情報に含まれる映像の解像度や音声サラウンド装置のチャネル数が外部機器よりも小さい場合であっても、外部機器の再生性能を最大限発揮してコンテンツの映像や音声を再生することができる。
【００２１】
請求項７記載の録画再生装置では、前記記憶部には、前記管理部により、コンテンツの録画時に、録画対象コンテンツに関連付けて、前記録画対象コンテンツに関する情報と、前記外部機器の属性情報と、前記決定した外部機器への出力設定とが記憶されることを特徴とする。
【００２２】
従って、本録画再生装置では、コンテンツの録画時に、そのコンテンツに関連付けて、前記決定した外部機器への出力設定が記憶部に記憶されるので、そのコンテンツの再生時には、その記憶した外部機器への出力設定を読み出すだけで良く、外部機器への出力設定をその都度決定する必要がない。
【００２３】
請求項８記載の録画再生装置では、前記外部機器への出力設定の変更の指示を受け付ける操作部を有し、前記管理部は、前記操作部が受け付けた指示に基づいて、前記決定した外部機器への出力設定を更新することを特徴とする。
【００２４】
本録画再生装置では、決定した外部機器への出力設定で再生されたコンテンツを視聴しながら、例えば視聴者が操作部を操作して外部機器への出力設定を更新することができるので、コンテンツの再生に視聴者の好みやこだわりを反映させることができる。
【００２５】
請求項９記載の録画再生装置では、前記管理部は、前記記憶部に既に記憶したコンテンツの中に、前記記憶部に新たに記憶するコンテンツに対して前記コンテンツに関する情報が類似し且つ前記外部機器の属性情報が同一である類似コンテンツがある場合には、前記類似コンテンツに関連付けられた前記外部機器への出力設定を、前記記憶部に新たに記憶するコンテンツに関連付ける外部機器への出力設定として決定することを特徴とする。
【００２６】
従って、本録画再生装置では、新たなコンテンツの録画に際し、そのコンテンツに類似コンテンツがある場合には、その類似コンテンツに関連付けられた外部機器への出力設定を前記録画対象コンテンツの出力設定として利用するので、その類似コンテンツの出力設定が例えば視聴者によって既に変更ないし更新されていれば、視聴者の嗜好やこだわりをも反映したより適切な映像及び音声でコンテンツを再生することが可能である。
【００２７】
請求項１０の録画再生装置では、前記管理部は、前記記憶部に記憶されたコンテンツを削除する場合、当該コンテンツに関連付けられて記憶された該コンテンツに関する情報、外部機器の属性情報及び外部機器への出力設定はそのまま記憶しておくことを特徴とする。
【００２８】
本録画再生装置では、コンテンツ自体（本編）は削除されても、それに関連付けられたコンテンツに関する情報、外部機器の属性情報及び外部機器への出力設定は記憶部に残るので、類似コンテンツの候補がその分多くなる。従って、より適切な出力設定を選出できて、コンテンツの再生がユーザー（視聴者）の好みやこだわりをも適切に反映した最適なものとなる。
【００２９】
請求項１１の録画再生装置では、前記管理部は、１つの録画対象コンテンツに関連付けて複数の出力設定を記憶部に記憶することを特徴とする。
【００３０】
従って、本録画再生装置では、コンテンツの再生時に複数の出力設定のうち１つを選択できるので、その再生時の状況（例えば夜の時間帯）などに応じた出力設定（例えば音声を小さくする設定等）に切り換えることができる。
【００３１】
請求項１２の録画再生装置では、前記管理部は、コンテンツの再生時に、前記再生時に前記情報取得部が取得している外部機器の属性情報を再生対象コンテンツに関連付けられた外部機器の属性情報と比較し、一致しないとき、前記再生対象コンテンツに関連付けられた該コンテンツに関する情報と前記再生時の外部機器の属性情報とに基づいて、前記再生対象コンテンツの再生に対応した外部機器への出力設定を新たに決定することを特徴とする。
【００３２】
また、請求項１３の録画再生装置では、前記管理部は、前記再生時の外部機器の属性情報と、前記新たに決定された外部機器への出力設定とを、前記再生対象コンテンツに関連付けて記憶部に記憶することを特徴とする。
【００３３】
従って、これらの録画再生装置では、録画時に接続されていた外部機器が取り外されて、再生時には再生性能などの属性情報の異なる新しい外部機器に変更されていた場合であっても、その新しい外部機器への出力設定が新たに決定されるので、その新しい外部機器の再生性能を十分に発揮したより適切な映像や音声でコンテンツを再生できる。また、その新しい外部機器への出力設定を記憶部に記憶するので、コンテンツの再生時毎にその新しい外部機器への出力設定を都度決定する必要がない。
【発明の効果】
【００３４】
以上説明したように、本発明によれば、種々の再生機能の外部機器が接続可能な録画再生装置において、その接続される外部機器の再生性能がどのようであっても、その接続された外部機器の属性情報を取得して、この取得した属性情報とコンテンツに関する情報とに基づいて外部機器への出力設定を自動で決定したので、ユーザー（視聴者）のリモコン操作や外部機器の再生性能に関する知識を要することなく、外部機器の再生性能をも考慮したより適切な映像や音声でコンテンツを再生することが可能である。
【図面の簡単な説明】
【００３５】
【図１】本発明の第１の実施形態に係る録画再生装置であるＢＤレコーダーを含む録画再生システムの概略構成を示すブロック図である。
【図２】同ＢＤレコーダー内部の主要構成を示すブロック図である。
【図３】同ＢＤレコーダーに接続されるＡＶレシーバーの内部の主要構成を示すブロック図である。
【図４】同ＢＤレコーダーに接続されるＴＶ受像器の内部の主要構成を示すブロック図である。
【図５】コンテンツの録画時でのＢＤレコーダーの管理部の動作を示すフローチャート図である。
【図６】同図（ａ）はコンテンツの番組情報、同図（ｂ）は接続された外部機器の再生性能に関する情報、同図（ｃ）は決定された外部機器への出力設定の一例を示す図である。
【図７】ＢＤレコーダー内部の記憶部の記憶内容の一例を示す図である。
【図８】外部機器への出力設定の他の一例を示す図である。
【図９】外部機器への出力設定の更に他の一例を示す図である。
【図１０】コンテンツの再生時でのＢＤレコーダーの管理部の動作を示すフローチャート図である。
【図１１】本発明の第２の実施形態に係るＢＤレコーダーのコンテンツ録画時での管理部の動作を示すフローチャート図である。
【図１２】同管理部の動作の説明図である。
【図１３】同管理部による録画対象コンテンツと録画済コンテンツとの間の番組情報の類否判断の説明図である。
【図１４】同管理部による類否判断の他の一具体例を示す図である。
【図１５】同管理部による類否判断の更に他の一具体例を示す図である。
【図１６】本発明の第３の実施形態に係るＢＤレコーダーの管理部の動作の説明図である。
【図１７】本発明の第４の実施形態に係るＢＤレコーダーの管理部の動作の説明図である。
【図１８】本発明の第５の実施形態に係るＢＤレコーダーを含む録画再生システムの概略構成を示すブロック図である。
【図１９】同実施形態における外部機器への出力設定の決定の様子を説明する図である。
【図２０】同実施形態におけるコンテンツの再生時でのＢＤレコーダーの管理部の動作を示すフローチャート図である。
【発明を実施するための形態】
【００３６】
以下、本発明の実施形態を図面に基づいて説明する。
【００３７】
（第１の実施形態）
図１は、本発明の第１の実施形態に係る録画再生装置であるＢＤレコーダーを含む録画再生システムの構成を示す。
【００３８】
図１の録画再生システムは、ＢＤレコーダー１０と、外部機器としてのＡＶ（Audio Visual）レシーバー（音声装置）２０と、外部機器としてのＴＶ受像器（映像表示装置）３０と、外部機器としての音声サラウンド装置（音声装置）４０とを備えている。これら機器から成る録画再生システムは、ＨＤＭＩ（High-Definition Multimedia Interface）［登録商標］規格に準拠したシステムである。
【００３９】
前記ＢＤレコーダー１０は、第１のＨＤＭＩケーブル２１を用いてＡＶレシーバー２０と接続される。また、ＡＶレシーバー２０は、第２のＨＤＭＩケーブル２２を用いてＴＶ受像器３０に接続されると共に、スピーカーケーブル２３を用いて音声サラウンド装置４０に接続される。音声サラウンド装置４０は、５．１ｃｈ（チャンネル）サラウンド方式のスピーカーを有する。前記ＡＶレシーバー２０は、ＢＤレコーダー１０のＢＤ（Blu-ray Disc）に記録したコンテンツの再生時には、ＢＤレコーダー１０からの映像データ信号をＴＶ受像器３０へ供給して映像を表示させると共に、ＢＤレコーダー１０からの音声データ信号を増幅して音声サラウンド装置４０に供給して、サラウンド音声を出力させる。
【００４０】
以下に、前記ＢＤレコーダー１０、ＡＶレシーバー２０及びＴＶ受像器３０の内部構成を説明する。
【００４１】
＜ＢＤレコーダー１０の構成＞
図２は、ＢＤレコーダー１０の内部の主要構成を示す。同図のＢＤレコーダー１０は、ＴＶ放送波を復調するチューナー部１００と、ユーザー（視聴者）がＢＤの再生又は録画や再生時の映像の解像度又は音声の大小等を指示するリモコン装置（操作部）１１０と、該リモコン装置１１０からの赤外線信号を受け取る受光部１２０と、ＡＶレシーバー２０及びＴＶ受像器３０との間でＨＤＭＩケーブル２１、２２を介してデジタルデータ通信を行うＨＤＭＩ制御部１３０と、ＢＤに対して読み／書きするＢＤ駆動部１４０と、半導体メモリと磁気ディスクを含み且つ後述するように前記ＡＶレシーバー２０及びＴＶ受像器３０のＥＤＩＤ（Extended Display Identification Data）情報を記憶する記憶部１５０と、これらのブロックの動作を制御する制御部１６０とを備えている。
【００４２】
前記ＨＤＭＩ制御部１３０は、ＨＤＭＩケーブル２１、２２を介して前記ＡＶレシーバー２０及びＴＶ受像器３０が接続される接続部として機能すると共に、前記ＡＶレシーバー２０及びＴＶ受像器３０との間でＥＤＩＤ情報を通信して、ＡＶレシーバー２０及びＴＶ受像器３０の各ＥＤＩＤ情報（後述）を読み出して、これらのＥＤＩＤ情報を記憶部１５０に記憶する。ここで、ＨＤＭＩ制御部１３０は、その制御をソフトウェアにより実現するコンピュータプロセッサであって、前記ＨＤＭＩケーブル２１、２２中に収められたＤＤＣ（Display Data Channel）ラインを経由した通信によりＥＤＩＤ情報を取得する。この両ＥＤＩＤ情報には、ＡＶレシーバー２０及びＴＶ受像器３０の再生性能を含む属性情報が含まれる。従って、ＨＤＭＩ制御部１３０は情報取得部として機能する。これらの属性情報の具体例については後述する。
【００４３】
また、前記記録部１５０には、図３以降で示すフローチャートの各ステップ（処理手順）をコンピュータ・プログラムとして記述した実行形式ファイルを予め電子的に記憶している。尚、前記コンピュータ・プログラムを記録したＢＤやＣＤ−ＲＯＭ等の記録媒体を本ＢＤレコーダー１０に読み込んで前記記録部１５０に格納しても良い。
【００４４】
前記制御部１６０は、映像音声データ処理部１６１と、通信処理部１６２と、録画処理部１６３と、再生処理部１６４と、コンテンツ管理部（管理部）１６５との各々の機能をソフトウェア制御により実現するコンピュータプロセッサであって、前記記憶部１５０に格納されたコンピュータ・プログラムを実行する。
【００４５】
前記映像音声データ処理部１６１は、ＢＤ等へのコンテンツ録画時にはチューナー部１００から受けた映像音声データをデコード処理すると共に、ＢＤ等からのコンテンツ再生時にはＢＤ駆動部１４０から得られた映像音声データをエンコード処理する。
【００４６】
また、通信処理部１６２は、チューナー部１００から電子番組表（ＥＰＧ：Electronic Program Guide）情報を入手する処理、及び映像音声データをＨＤＭＩ制御部１３０を介してＡＶレシーバー２０へ供給する処理、並びに前記ＨＤＭＩ制御部１３０が取得したＡＶレシーバー２０及びＴＶ受像器３０のＥＤＩＤ情報を記憶部１５０から読み出してコンテンツ管理部１６５に送信する。
【００４７】
更に、録画処理部１６３は、リモコン装置１１０で指定された録画対象コンテンツを記憶部１５０へ保存する録画動作を実行する。再生処理部１６４は、記憶部１５０に保存されたコンテンツのうちリモコン装置１１０で指定されたものを再生する。コンテンツ管理部１６５は、録画処理部１６３及び再生処理部１６４と協働して、後に詳述するように録画対象コンテンツ及び再生対象コンテンツの取り扱いを管理する処理を実行する。
【００４８】
＜ＡＶレシーバー２０の構成＞
図３は、ＡＶレシーバー２０の内部の主要構成を示す。同図のＡＶレシーバー２０は、ユーザー（視聴者）からの音声の大小などの変更の指示を受け付けるリモコン装置（操作部）２００と、リモコン装置２００からの赤外線信号を受け取る受光部２１０と、本ＡＶレシーバー２０とＢＤレコーダー１０及びＴＶ受像器３０との間でＨＤＭＩケーブル２１、２２を介してデジタルデータ通信を行うと共にＥＤＩＤ情報（後述）の通信を行ってＴＶ受像器３０のＥＤＩＤ情報を記憶部（後述）に記憶すると共にＢＤレコーダー１０に送信するＨＤＭＩ制御部２２０と、スピーカーケーブル２３を介して音声サラウンド装置４０へ音声信号を出力する音声信号出力部２３０と、半導体メモリを含み且つ自己のＥＤＩＤ情報を記載したＥＤＩＤテーブル２４１を格納した記憶部２４０と、これらのブロックの動作を制御する制御部２５０とを備えている。
【００４９】
前記制御部２５０は、映像音声データ処理部２５１と、通信処理部２５２と、入力切換処理部２５３との各々の機能をソフトウェア制御により実現するプロセッサである。前記映像音声データ処理部２５１は、ＢＤレコーダー１０又はＴＶ受像機３０から受け取った音声データに対するイコライズ処理や、音声信号出力部２３０へ出力音量を指示するレベル調整処理などを実行する。通信処理部２５２は、ＨＤＭＩ制御部２２０を介してＢＤレコーダー１０及びＴＶ受像器３０との間での映像音声データ及び制御情報の送受信処理などを実行する。入力切換処理部２５３は、ＢＤレコーダー１０からの音声データとＴＶ受像機３０からの音声データとの何れかを選択して映像音声データ処理部２５１へ供給する処理などを実行する。
【００５０】
＜ＴＶ受像器３０の構成＞
図４は、ＴＶ受像器３０の内部の主要構成を示す。同図のＴＶ受像器３０は、ＴＶ放送波を復調するチューナー部３００と、ユーザー（視聴者）が映像の解像度などの変更を指示するリモコン装置（操作部）３１０と、リモコン装置３１０からの赤外線信号を受ける受光部３２０と、ＢＤレコーダー１０及びＡＶレシーバー２０との間のデジタルデータ通信を制御すると共に前記ＢＤレコーダー１０及びＡＶレシーバー２０に自己のＴＶ受像器３０のＥＤＩＤ情報を送信するＨＤＭＩ制御部３３０と、映像を表示する映像表示部３４０と、音声を出力する音声出力部３５０と、自己のＥＤＩＤ情報を記載したＥＤＩＤテーブル３６１を格納した記憶部３６０と、これらのブロックの動作を制御する制御部３７０とを備える。
【００５１】
制御部３７０は、映像音声データ処理部３７１と、通信処理部３７２との各々の機能をソフトウェア制御により実現するプロセッサである。映像音声データ処理部３７１は、映像音声データのデコード処理などを実行する。通信処理部３７２は、前記映像音声データ処理部３７１でデコード処理された映像データを映像表示部３４０に出力して映像を表示させると共にＨＤＭＩ制御部３３０からの要求に応じてＨＤＭＩケーブル２２を通じてＡＶレシーバー２０に出力し、デコード処理された音声データをＨＤＭＩ制御部３３０からの要求に応じて音声出力部３５０又はＨＤＭＩケーブル２２を通じてＡＶレシーバー２０から音声サラウンド装置４０に出力して音声を出力させる処理などを実行する。
【００５２】
＜ＢＤレコーダーのコンテンツ管理部の動作＞
次に、前記ＢＤレコーダー１０のコンテンツ管理部１６５の動作を詳細に説明する。
【００５３】
（録画時での動作）
先ず、ＢＤにコンテンツ（映像音声データ）を録画する場合のコンテンツ管理部１６５及びＨＤＭＩ制御部１３０の動作を説明する。
【００５４】
図５は、コンテンツ録画時のコンテンツ管理部１６５及びＨＤＭＩ制御部１３０の動作を説明するフローチャート図である。同図では、ステップＳ１（第１ステップ）において、コンテンツ管理部１６５がユーザーからリモコン装置１１０で指定された録画対象コンテンツに関する情報（コンテンツ情報）を取得する。このコンテンツ情報は、前記通信処理部１６２がデジタル番組放送から受信し取得したテレビ番組表であるＥＰＧ（Electronic Program Guide）情報と、録画対象コンテンツ自身のテレビ番組情報であるＥＩＴ（Event Information Table）情報とから得る。このコンテンツ情報は、そのコンテンツの例えば番組情報であって、そのコンテンツのタイトル、ジャンル、サブタイトル、要約、映像／音声形式、映像の言語設定、視聴制限、字幕設定、音声のドルビーの有無などを含む情報である。具体的に例示すると、コンテンツ情報は、図６（ａ）に示すように、タイトルは「番組名〇〇〇」、ジャンルは「時代劇」、映像形式（解像度／表示画面の大きさ（画面アスペクト比）は「４８０ｉ／４：３」、音声形式は「７．１ｃｈサラウンド」、視聴制限は「１２才から視聴可能」、字幕設定は「字幕あり」の情報である。
【００５５】
次に、図５のステップＳ２（第２ステップ）では、ＨＤＭＩ制御部１３０がＢＤレコーダー１０にＨＤＭＩケーブル２１〜２３を通じて接続されたコンテンツ再生用の外部機器、すなわち、ＴＶ受像器３０及びＡＶレシーバー２０の属性情報として映像及び音声の再生性能に関する情報を取得する。具体的には、前記ＥＤＩＤ制御部１３０が取得して記憶部１５０に記憶されたＥＤＩＤ情報を通信処理部１６２から受信して、これらのＥＤＩＤ情報から、これ等外部機器の再生性能に関する情報を取得する。
【００５６】
前記ＥＤＩＤ制御部１３０が取得するＥＤＩＤ情報は、例えばＴＶ受像器３０では対応解像度、映像画面の大きさの種類などであり、明るさやコントラスト、色合いなどを含んでも良い。また、ＡＶレシーバー２０では、対応オーディオフォーマット、スピーカの数等を含んでも良い。例えば、ＴＶ受像器３０及びＡＶレシーバー２０の属性情報である再生性能に関する情報は、簡易に例示すると、図６（ｂ）に示すように、ＴＶ受像器３０の解像度は「１０８０ｐ」、映像画面の大きさは「１６：９」であり、ＡＶレシーバー２０の対応可能なサラウンド音声は５．１ｃｈの音声サラウンド装置４０が接続されているので、「５．１ｃｈサラウンド」との情報である。
【００５７】
続いて、図５のステップＳ３（第３ステップ）では、コンテンツ管理部１６５が前記上記取得した録画対象コンテンツのコンテンツ情報と、ＢＤレコーダー１０に接続された前記ＴＶ受像器３０及びＡＶレシーバー２０の属性情報である映像及び音声の再生性能に関する情報とに基づいて、録画対象コンテンツ毎に、録画対象コンテンツの再生に対応したＴＶ受像器３０及びＡＶレシーバー２０への各々の出力設定を決定する。例えば、図６（ａ）のコンテンツ情報（番組情報）と、同図（ｂ）のＴＶ受像器３０及びＡＶレシーバー２０の属性情報である映像及び音声の再生性能に関する情報とに基づいて、コンテンツの再生映像及び再生音声がより適切となるように同図（ｃ）に示すＢＤレコーダー１０からＴＶ受像器３０及びＡＶレシーバー２０への出力設定が決定される。これを具体的に説明すると、次の通りである。
【００５８】
図６（ａ）〜（ｃ）において、コンテンツ情報の映像形式（解像度／表示画面の大きさ）は「４８０ｉ／４：３」であり、一方、ＴＶ受像器３０の解像度は「１０８０ｐ」、映像画面の大きさは「１６：９」であるため、解像度及び映像画面の大きさはＨＤ（High definition）仕様のＴＶ受像器３０の解像度及び映像画面の大きさ「１０８０ｉ」、「１６：９」に出力設定するのが最適である。この映像出力設定では、「４８０ｉ」の映像を「１０８０ｉ」に変換（アップコンバート）するため、画質の低下を抑制するように、ノイズリダクション設定を「入」に、超解像度設定を「入」に出力設定するのが最適である。一方、コンテンツ情報の音声形式は「７．１ｃｈサラウンド」であるが、ＡＶレシーバー２０の音声形式が「５．１ｃｈサラウンド」であるため、音声の出力設定はＡＶレシーバー２０が対応可能な「５．１ｃｈサラウンド」が最適である。また、コンテンツ情報に「字幕あり」が含まれるので、ＴＶ受像器３０への出力設定に「字幕設定 入」を含ませるのが最適である。
【００５９】
そして、このようにＢＤレコーダー１０からＴＶ受像器３０及びＡＶレシーバー２０への出力設定を決定した後は、図５のステップＳ４（第４ステップ）において、図７に例示するように、録画対象コンテンツ１５１に関連付けて、そのコンテンツ情報（番組情報）１５２と、前記取得したＴＶ受像器３０及びＡＶレシーバー２０の属性情報として映像及び音声の再生性能に関する情報１５３と、前記決定したＴＶ受像器３０及びＡＶレシーバー２０への映像及び音声の出力設定とを、コンテンツの録画時毎に、記憶部１５０に記憶する。尚、図７では、取得したＴＶ受像器３０及びＡＶレシーバー２０の再生性能に関する情報１５３は２つのコンテンツ（コンテンツ１及び２）で同一の場合を例示している。また、記憶部１５０には、通信処理部１６２が取得したＥＰＧ情報１５５も記憶される。
【００６０】
尚、図６（ｃ）に示した画面設定や音声出力設定などの出力設定は一例であり、その他、例えば映像出力設定として、ＴＶ受像器３０のディープカラー（自動／切）やプログレッシブモード（自動／ビデオ）、スチルモード（自動／フィールド／フレーム）を決定しても良いし、音声出力設定として、各チャンネルのディレイタイム設定やレベル設定、ＤＴＳ［登録商標］（自動／ＰＣＭ）、ＡＡＣ［登録商標］（自動／ＰＣＭ）、ダイナミックレンジコントロール（入／切）などを設定しても良い。更に、映像及び音声設定以外の出力設定として、言語設定（オリジナル／日本語／英語／その他の言語）、視聴制限（無制限／視聴可能年齢設定＝年齢入力）などを決定しても良い。
【００６１】
従って、本実施形態では、ＢＤレコーダー１０に接続されたＴＶ受像器３０及びＡＶレシーバー２０の属性情報として映像及び音声再生性能に関する情報を取得して、その取得した再生性能に関する情報とコンテンツ情報（番組情報）とに基づいて、再生対象コンテンツの再生により適切に対応するようにＴＶ受像器３０とＡＶレシーバー２０への出力設定を決定したので、例えばコンテンツ情報に含まれる解像度がＳＤ（Standard  Definition）仕様であっても、ＴＶ受像器３０のＨＤ（High definition）仕様の映像をノイズリダクション機能を付加しつつ表示できると共に、音声サラウンド装置４０の有する５．１ｃｈサラウンド音声性能を発揮した音声出力が可能である。
【００６２】
ここで、コンテンツ管理部１６５がコンテンツの再生がより適切になるようにＴＶ受像器３０及びＡＶレシーバー２０への出力設定を自動的に決定するので、ユーザー（視聴者）はコンテンツの内容やＴＶ受像器３０及びＡＶレシーバー２０の再生性能を的確に把握している必要はなく、またユーザーが接続外部機器の再生性能に合わせてリモコン装置を操作する必要がなく、コンテンツを自動的により適切な映像及び音声で再生することができる。
【００６３】
更に、外部機器への出力設定を従来のように特定の時点（録画時や録画予約時）の出力設定に一意的に決定する場合に比較して、外部機器の再生性能に合致した出力設定に確実に決定することが可能である。
【００６４】
加えて、図６に示したように、コンテンツ情報（番組情報）１５２の映像形式（４８０ｉ ４：３と、ＴＶ受像器３０の再生性能に関する情報１５３の画面情報（１０８０ｉ １６：９）とは映像情報の点で重複し、その情報の内容同士は一致しないがＴＶ受像器３０の再生性能に関する情報１５３の画面情報（１０８０ｉ １６：９）を優先して、ＴＶ受像器３０への出力設定（解像度及び映像画面の大きさ）を１０８０ｉ １６：９に決定するので、ＴＶ受像器３０の再生性能を最大限発揮してコンテンツの映像を再生できる。
【００６５】
（変形例）
図８及び図９はコンテンツ情報（番組情報）、ＴＶ受像器３０及びＡＶレシーバー２０の属性情報としての再生性能に関する情報、及びこれ等外部機器への出力設定の変形例を示す。
【００６６】
図８に示す変形例では、図６と異なる点は、同図（ｂ）に太線で示すように、ＡＶレシーバー２０の音声再生性能に関する情報が「７．１ｃｈサラウンド」であって、コンテンツ情報に含まれる音声形式の「７．１ｃｈサラウンド」と一致する点である。
【００６７】
従って、図８の変形例では、同図（ｃ）に示すように、コンテンツ管理部１６５がＡＶレシーバー２０の音声再生性能に合わせて、その出力設定を「７．１ｃｈサラウンド」に決定するので、再生コンテンツは７．１ｃｈサラウンド音声で最適に発音される。よって、ユーザーはＡＶレシーバー２０の音声再生性能に合わせて再生音声が最適になるようにリモコン操作をする必要がない。
【００６８】
図９に示す変形例では、図６と異なる点は、同図（ａ）及び（ｂ）に太線で示すように、コンテンツ情報（番組情報）の映像形式（解像度／表示画面の大きさ）が１０８０ｐ／１６：９であり、接続されたＴＶ受像器３０の再生性能に関する情報の解像度及び表示画面の大きさが４８０ｉ／４：３である点である。
【００６９】
本変形例では、コンテンツ情報（番組情報）の映像形式がＨＤ（High definition）仕様であっても、ＴＶ受像器３０の再生性能がＳＤ（Standard  Definition）仕様であるため、ＴＶ受像器３０への出力設定は映像信号を変換（ダウンコンバート）して４８０ｉ／４：３に設定される。従って、本変形例においても、コンテンツ情報（番組情報）と外部機器（ＴＶ受像器３０）の再生性能に関する情報との双方に基づいて、再生コンテンツが可能な限りより適切に映像で再生されるようにＴＶ受像器３０への出力設定（４８０ｉ／４：３）を決定するので、コンテンツの再生時には視聴者により適切な映像を提供することができる。
【００７０】
以上、前記実施形態及び２つの変形例からも判るように、本発明では、ＢＤレコーダー１０に接続されるＴＶ受像器３０やＡＶレシーバー２０、音声サラウンド装置４０の再生性能がどの程度であっても、その接続される外部機器の再生性能に関する情報を取得して、その外部機器の再生性能を最大限生かした出力設定が自動で決定される。従って、従来のように整合データテーブルを使用して、予め再生性能が解っている外部機器への出力設定をする場合と比較して、接続される外部機器の再生性能が如何ようであってもより適切な映像や音声でコンテンツを再生することが可能である。
【００７１】
（再生時での動作）
次に、ＢＤ等に録画されたコンテンツを再生する場合のコンテンツ管理部１６５の動作を説明する。
【００７２】
図１０はコンテンツ再生時のコンテンツ管理部１６５の動作を示す。この再生時には、上記録画時に記憶部１５０に記憶した図７の内容を参照する。
【００７３】
具体的に、同図のステップＳ１では、ユーザー（視聴者）からリモコン装置１１０で指定された再生対象コンテンツの再生に際し、例えば図７のコンテンツ１が再生対象の場合には、この再生コンテンツ１に関連付けられている出力設定１を記憶部１５０から読み出す。そして、この出力設定１の内容が例えば図６に示した出力設定１５４の場合には、ＴＶ受像器３０に対して映像設定として、解像度を１０８０ｐに、表示画面の大きさを１６：９に、ノイズリダクション設定を「入」に、超解像度設定を「入」に、字幕設定を「入」に各々設定すると共に、ＡＶレシーバー２０に対して音声出力設定として５．１ｃｈサラウンド設定を行う。
【００７４】
従って、コンテンツの再生時には、その再生コンテンツに関連付けて録画時に記憶部１５０に記憶された出力設定を読み出して、その出力設定でＴＶ受像器３０に映像信号を出力し、ＡＶレシーバー２０に音声信号を出力するので、従来のように現在（再生時）の外部機器の設定（出力パラメータ）を取得したり、その設定を整合データテーブルと照合する必要がなく、素早く且つ無駄なく再生コンテンツをより適切な映像及び音声で再生可能である。
【００７５】
このように記憶部１５０に記憶した出力設定で再生コンテンツを再生し始めた後は、図１０のステップＳ２において視聴者がリモコン装置３１０、２００を用いてＴＶ受像器３０やＡＶレシーバー２０の出力設定を変更したか否かを判定する。その判定の結果、出力設定の変更がない場合には、前記記憶部１５０に記憶された出力設定を維持するが、出力設定の変更がある場合、例えば、視聴者がＴＶ受像機３０のリモコン装置３１０で字幕設定を「入」から「切」に変更した等の場合には、ＢＤレコーダー１０は前記ＴＶ受像機３０やＡＶレシーバー２０から前記出力設定の変更をＨＤＭＩケーブル２２、２１を介して受けて、次のステップＳ３において、再生対象コンテンツの前記出力設定を前記操作者のリモコン操作による指示に応じて更新して、記憶部１５０に保存する。
【００７６】
従って、前記視聴者のリモコン操作によりＴＶ受像機３０やＡＶレシーバー２０への出力設定の変更があった場合には、出力設定を更新して記憶部１５０に保存するので、次回に同一コンテンツを再生する際には、前回の再生時に更新された出力設定で映像信号や音声信号が出力される。従って、次回の同一コンテンツの再生時は視聴者の嗜好やこだわりをも反映した最適な映像及び音声が得られるので、視聴者は再度のリモコン操作が不要である。
【００７７】
（第２の実施形態）
次に、本発明の第２の実施形態を説明する。
【００７８】
前記第１の実施形態では、コンテンツの録画時毎に、そのコンテンツに関する情報と外部機器の属性情報としての再生性能に関する情報とに基づいてＴＶ受像機３０やＡＶレシーバー２０への出力設定を独自に決定したが、本実施形態では、既に記憶した出力設定を利用するものである。
【００７９】
図１１は本実施形態での録画時のコンテンツ管理部１６５の動作を示すフローチャート図である。同図では、ステップＳ１及びＳ２にて前記第１の実施形態の図５と同様に録画対象コンテンツの番組情報と現在の外部機器の再生性能に関する情報とを取得するが、ステップＳ３において、前記取得した録画対象コンテンツの番組情報と類似した番組情報を持つコンテンツが記憶部１５０にあるか否かを判定する。
【００８０】
そして、類似した番組情報を持つコンテンツが既に記憶されている場合には、ステップＳ４において、その類似した番組情報を持つコンテンツに関連付けて記憶された外部機器の再生性能に関する情報と、その外部機器への出力設定とを記憶部１５０から読み出して取得した後、ステップＳ５において、今回の録画対象コンテンツの再生性能に関する情報と前記類似した番組情報を持つコンテンツに関連付けられた外部機器の再生性能に関する情報とを比較し、同一でない場合（ＮＯの場合）には、第１の実施形態の図５のステップＳ３と同様に、ステップＳ６にて録画対象コンテンツの再生により適切な外部機器（ＴＶ受像器３０及びＡＶレシーバー２０）への各々の出力設定を独自に決定するが、同一の場合（ＹＥＳの場合）には、ステップＳ７において、前記類似した番組情報を持ち且つ外部機器の再生性能に関する情報が同一のコンテンツ（以下、類似コンテンツという）に関連付けられた外部機器への出力設定を、今回の録画対象コンテンツに関連付ける外部機器への出力設定として決定し、採用する。そして、ステップＳ８において、その決定採用した外部機器への出力設定と、前記取得した番組情報と、現在の外部機器の属性情報としての再生性能に関する情報とを今回の録画対象コンテンツに関連付けて記憶部１５０に記憶する。
【００８１】
従って、本実施形態では、図１２に示したように、例えば録画対象コンテンツが番組情報Ｘと外部機器の再生性能に関する情報１を持つ場合に、その番組情報Ｘが前記記憶部１５０に記憶した多数のコンテンツ１〜４…の番組情報と類似判断されて、録画対象コンテンツの番組情報Ｘが記憶部１５０のコンテンツ４の番組情報４と類似しているとき、録画対象コンテンツに関連付けられた外部機器の再生性能に関する情報１とその類似コンテンツ４に関連付けられた外部機器の再生性能に関する情報１とが同一であれば、コンテンツ管理部１６５は、録画対象コンテンツの出力設定として、その類似コンテンツ４の出力設定４を録画対象コンテンツに関連付けて記憶部１５０に記憶する。
【００８２】
よって、本実施形態では、新たに録画するコンテンツに関連付ける外部機器への出力設定として、類似コンテンツに関連付けられた出力設定を利用するので、コンテンツ再生がより適切となる外部機器への出力設定を簡易に得ることができる。
【００８３】
しかも、類似コンテンツに関連付けられた外部機器への出力設定を利用した場合に、その出力設定が視聴者のリモコン操作によって更新されているときには、新たに録画するコンテンツを再生する際に、視聴者は再度リモコン操作を要することなく、視聴者の嗜好やこだわりをも考慮した最適な映像及び音声が得られる。従って、図１２に示した具体例では、コンテンツに関連付けられた項目として、番組情報と、外部機器の再生性能に関する情報と、外部機器への出力設定とを限定して記憶しているが、ユーザ（視聴者）のリモコン装置１１０の操作による出力設定の更新の有無情報をも関連付けて記憶しておき、更新「有り」の情報をも持つコンテンツを類似コンテンツとして抽出して、更新「有り」の出力設定のみを録画対象コンテンツに関連付ける出力設定として利用する構成としても良い。
【００８４】
（番組情報の類否判断）
本実施形態では、コンテンツ管理部１６５が録画対象コンテンツと番組情報が類似し且つ外部機器の再生性能に関する情報（属性情報）が同一のコンテンツを類似コンテンツとするので、番組情報の類否判断が重要である。
【００８５】
番組情報の類否判断を図１３に基づいて説明する。同図では、番組情報を構成する複数の項目に優先順位を付けて、複数のコンテンツのうち１つを類似コンテンツとして特定するものである。
【００８６】
具体的に、同図では、優先順位を「タイトル」、「ジャンル」、「映像形式」、「音声形式」、「視聴制限」、「字幕設定」の順序で高く設定している。「タイトル」や「ジャンル」の優先順位が高いのは、これらが同一であれば、接続された外部機器（ＴＶ受像器３０及びＡＶレシーバー２０）が同一出力設定で動作される可能性が高いからである。
【００８７】
図１３では、新たな録画対象コンテンツの「タイトル」は記憶部１５０に保存されたコンテンツ２、３、４の「番組名」と相違するが、保存されたコンテンツ３及び４と第２及び第３優先順位の「ジャンル」及び「映像形式」の項目で一致するので、この２つのコンテンツ３及び４が類似コンテンツの候補である。しかし、録画対象コンテンツの第４優先順位の「音声形式」が５．１ｃｈサラウンドであるので、この「音声形式」が一致するコンテンツ４が類似コンテンツとして特定される。従って、図１３の例では、録画対象コンテンツと第１〜第４優先順位で一致して類似性の高いコンテンツ４が選択、特定される。
【００８８】
（類比判断の変形例）
図１４は番組情報の類比判断の変形例を示す。同図では、番組情報を構成する複数の項目に所定の優先度を付けて、１つの類似コンテンツを特定するものである。
【００８９】
図１４では、同図に示したように、番組情報を構成する各項目に重み付けをし、重み値を「タイトル」に「１０」、「ジャンル」に「７」、「映像形式」に「５」、「音声形式」に「４」、「視聴制限」及び「字幕設定」に各々「１」を付している。
【００９０】
従って、同図では、録画対象コンテンツの番組情報に対し、記録部１５０に記録されたコンテンツ２〜４中には「タイトル」及び「ジャンル」（＝映画）の項目で一致するコンテンツは存在しないが、コンテンツ２では「音声形式」（＝５．１ｃｈサラウンド）の項目で一致し、コンテンツ３では「映像形式」（＝１０８０ｐ  １６：９）及び「音声形式」（＝５．１ｃｈサラウンド）の項目で一致し、コンテンツ４では「映像形式」（＝１０８０ｐ  １６：９）、「視聴制限」及び「字幕設定」の項目で一致する。従って、一致する項目について前記重み値で重み付けをすると、類似度（重み付けの合計値）はコンテンツ２では「４」、コンテンツ３では「９」、コンテンツ４では「７」となり、類似度が最高値のコンテンツ３が類似コンテンツとして特定される。従って、図１４の例では、録画対象コンテンツと「タイトル」及び「ジャンル」（＝映画）が一致するコンテンツは存在しないが、「ジャンル」が録画対象コンテンツの「映画」と類似する「ドラマ」で「映像形式」（＝１０８０ｐ  １６：９）及び「音声形式」（＝５．１ｃｈサラウンド）が一致する類似性の高いコンテンツ３が類似コンテンツとして特定される。
【００９１】
図１５は、番組情報の各項目に図１４と同一の重み付けをした場合の類比判断の他の具体例を示す。
【００９２】
同図では、録画対象コンテンツの番組情報に対し、記録部１５０に記録されたコンテンツ２〜４中には「タイトル」が一致するコンテンツは存在しないが、コンテンツ２のみが「ジャンル」（＝音楽）の項目で一致し、コンテンツ３は「音声形式」（＝ステレオ音声）で一致し、コンテンツ４は一致する項目が存在しない。従って、一致する項目について前記重み付けをすると、類似度は、コンテンツ２では「７」、コンテンツ３では「４」、コンテンツ４では「０」となる。よって、本具体例でも、録画対象コンテンツと「ジャンル」（＝音楽）の項目で一致して類似度が高いコンテンツ２が類似コンテンツとして選択、特定されることになる。
【００９３】
尚、前記図１４及び図１５の重み付けを用いた類否判断では、これ等の図に記載したように番組情報の各項目に付した重み値は例示である。また、各項目の重み値は固定値でなくても良く、例えばユーザー（視聴者）がＢＤレコーダー１０のリモコン装置１１０を操作して特定の項目の重み道を大値に設定するなど、各重み値を可変に設定可能に構成しても良い。
【００９４】
また、例えばコンテンツ情報（番組情報）の中に、録画を指示したユーザーの「名前」の項目を含めてもよい。そして、このユーザーの「名前」の重み値を大きく設定しておけば、新たな録画対象コンテンツの番組情報内の「名前」と一致するコンテンツが類似コンテンツとして特定される可能性が高くなるので、自己の嗜好やこだわりを反映した外部機器（ＴＶ受像器３０及びＡＶレシーバー２０）への出力設定を自動で得ることができて、最適な再生映像や音声とするためのリモコン操作を不要にできる。
【００９５】
（第３の実施形態）
次に、本発明の第３の実施形態を説明する。前記第２の実施形態では、類似コンテンツに関連付けられた外部機器への出力設定を利用したが、本実施形態では、録画したコンテンツを記録部１５０から削除する場合であっても、できる限り多くの類似コンテンツの出力設定を利用できるように、その出力設定等は削除せず、そのまま記憶しておくものである。
【００９６】
具体的に、図１６において、記録部１５０に４つのコンテンツと、それ等に各々関連付けられた番組情報、外部機器の再生性能に関する情報（属性情報）及び外部機器への出力設定が記憶されている場合に、コンテンツ１及び２を操作者がリモコン装置１１０を用いて削除しようとした際には、通常であれば、それらコンテンツ１及び２と、それ等に関連付けられた番組情報１及び２、外部機器の再生性能に関する情報１並びに外部機器への出力設定１及び２も合わせて記憶部１５０から削除するが、本実施形態では、削除を指示されたコンテンツ自体（本編）１及び２のみを削除し、同図に破線で囲むように番組情報１及び２、外部機器の再生性能に関する情報１並びに外部機器への出力設定１及び２は記憶部１５０にそのまま記憶しておく。
【００９７】
尚、コンテンツ管理部１６５は、録画済コンテンツの削除の指示時において、コンテンツのみを削除して、関連する番組情報、外部機器の再生性能に関する情報及び外部機器への出力設定はそのまま記憶しておくか、それらの関連する番組情報等の関連情報をも同時に削除するかについて、ユーザー（視聴者）がＢＤレコーダー１０のリモコン装置（選択手段）１１０を操作した指示信号を受けて、その何れか一方を選択する動作を行う。
【００９８】
従って、本実施形態では、削除対象のコンテンツ１及び２に関連付けられた番組情報１及び２、外部機器の再生性能に関する情報１及び並びに外部機器への出力設定１及び２はそのまま記憶されるので、新たにコンテンツを録画する際には、前記記憶されたままの番組情報１及び２、外部機器の再生性能に関する情報１がその録画対象コンテンツに類似する類似コンテンツか否かの検索対象となる。その結果、コンテンツ自体１及び２が記録部１５０から削除されても、出力設定１及び２は録画対象コンテンツの出力設定として利用される候補にできるので、コンテンツの再生がより適切となる外部機器への出力設定としてユーザー（視聴者）の嗜好やこだわりをより適切に反映した精度良い出力設定を選択することができる。
【００９９】
更に、番組情報や外部機器の再生性能に関する情報等に比べて容量の大きいコンテンツ自体（本編）は記憶部１５０から削除するので、記憶部１５０の記憶スペースを拡大できる。
【０１００】
（第４の実施形態）
図１７は、本発明の第４の実施形態を示す。本実施形態は、コンテンツに関連して記憶する番組情報などの関連情報を更に追加したものである。
【０１０１】
図１７において、記憶部１５０には、コンテンツに関連して番組情報及び外部機器の再生性能に関する情報（属性情報）を記憶するのは前記第１の実施形態と同様であるが、外部機器への出力設定として複数種類（同図では２種類）の出力設定１５４，１５７を記憶する点が異なる。２種類の出力設定１５４，１５７が記憶されたコンテンツには、それら２種類の出力設定のうち１つを選択するための選択情報、例えば時間帯情報１５８が付加して記憶される。
【０１０２】
具体的に、コンテンツ再生の時間帯情報として、昼の時間帯には出力設定１を選択し、夜の時間帯には出力設定２を選択するとの情報が記憶される。そして、出力設定１には、昼の時間帯に対応したＴＶ受像器３０への出力設定として「ダイナミックレンジコントロール」を「ＯＦＦ」にし、音声サラウンド装置４０の音量設定を「大」に設定するが、出力設定３には、夜の時間帯に対応したＴＶ受像器３０への出力設定として「ダイナミックレンジコントロール」を「ＯＮ」に設定して大きな音量を制限したり、音声サラウンド装置４０の音量設定を「小」に設定して静かにテレビや音楽を楽しむ設定が記憶される。
【０１０３】
従って、本実施形態では、コンテンツに関連して、コンテンツ再生の時間帯情報をも記憶したので、コンテンツを再生する時間帯に応じて外部機器への出力設定をその再生の時間帯に適した出力設定にすることができるので、ユーザー（視聴者）の嗜好やこだわりだけでなく、コンテンツ再生時の周囲の環境などにも合致した最適な出力設定で映像や音声を再生可能である。
【０１０４】
（第５の実施形態）
続いて、本発明の第５の実施形態を説明する。本実施形態では、コンテンツの録画時と再生時とで、接続された外部機器（ＴＶ受像器３０及び音声サラウンド装置４０）の再生性能が異なる場合である。
【０１０５】
図１８は、本実施形態におけるＢＤレコーダーを含む録画再生システムの構成を示す。同図では、ＢＤレコーダー１０にはＡＶレシーバー２０が接続され、ＡＶレシーバー２０にＴＶ受像器３０が接続される点は図１と同一であるが、所定コンテンツの録画時には５．１ｃｈの音声サラウンド装置４０が接続されていたが、その録画コンテンツの再生時には５．１ｃｈの音声サラウンド装置４０に代えて、７．１ｃｈの音声サラウンド装置５０が新たに接続されている状況を示している。
【０１０６】
図１９は、前記の状況下において、コンテンツ録画時の番組情報１５２と、録画時での外部機器（ＴＶ受像器３０及び音声サラウンド装置４０）の再生性能に関する情報（属性情報）１５３Ｒ及び出力設定１５４Ｒと、再生時の外部機器（ＴＶ受像器３０及び音声サラウンド装置５０）の再生性能に関する情報（属性情報）１５３Ｐ及び外部機器への出力設定１５４Ｐを示す。尚、同図の番組情報、外部機器の再生性能に関する情報及び外部機器への出力設定の具体的内容は、外部機器の再生性能に関する情報１５３Ｒ、１５３Ｐ内の音声情報及び外部機器への出力設定１５４Ｒ、１５４Ｐ内の音声出力設定以外、既述した第１の実施形態で説明した図９と同様である。
【０１０７】
図２０のフローチャートを参照してコンテンツ管理部１６５の動作を説明する。同図において、コンテンツ再生時には、ステップＳ１で、再生対象コンテンツに関連付けられて録画時に記憶された外部機器の再生性能に関する情報１５３Ｒを記憶部１５０から読み出すと共に、ステップＳ２においてＨＤＭＩ制御部１３０が取得した現在（再生時点）の外部機器の再生性能に関する情報１５３Ｐを取り込む。
【０１０８】
その後、ステップＳ３において、前記読み出した録画時の外部機器の再生性能に関する情報１５３Ｒと再生時の外部機器の再生性能に関する情報１５３Ｐとを比較し、両者が同一である場合、すなわち音声サラウンド装置が５．１ｃｈの音声サラウンド装置４０のままの場合には、ステップＳ４において再生対象コンテンツに関連付けられた録画時の出力設定１５４Ｒを記憶部１５０から読み出して、ステップＳ５において前記読み出した出力設定１５４Ｒで外部機器（ＴＶ受像器３０及び音声サラウンド装置４０）への出力設定を行う。
【０１０９】
一方、前記ステップＳ３で外部機器の再生性能に関する情報が同一でない場合、すなわち音声サラウンド装置が７．１ｃｈの音声サラウンド装置５０に変更されている場合には、ステップＳ６において先ず再生対象コンテンツに関連付けられた番組情報１５２と、録画時の外部機器への出力設定１５４Ｒとを記憶部１５０から読み出した後、ステップＳ７において、その読み出した番組情報１５２と前記取得した再生時の外部機器の再生性能に関する情報１５３Ｐとに基づいて、録画時の出力設定１５４Ｒを修正する。具体的には、図１９に示すように、録画時の外部機器の再生性能に関する情報１５３Ｒ内の音声情報（５．１ｃｈサラウンド）が、再生時には７．１ｃｈサラウンドに変更されているため、コンテンツ管理部１６５は、番組情報１５２内の音声形式が７．１ｃｈサラウンドであることも考慮して、録画時の出力設定１５４Ｒ内の音声出力設定（５．１ｃｈサラウンド）を７．１ｃｈサラウンドに変更した再生時の出力設定１５４Ｐを作成する。そして、前記取得した再生時の外部機器の再生性能に関する情報１５３Ｐと、新たに修正、決定された再生時の出力設定１５４Ｐとを再生対象コンテンツに関連付けて記憶部１５０に記憶する。
【０１１０】
その後、ステップＳ８において、前記変更、作成された再生時の出力設定１５４Ｐで外部機器（ＴＶ受像器３０及び音声サラウンド装置５０）への出力設定を行う。
【０１１１】
従って、本実施形態では、コンテンツの再生時には、録画時とは属性情報（再生性能）が異なる外部機器が接続されている場合であっても、その再生性能が異なる再生時の外部機器（７．１ｃｈの音声サラウンド装置５０）の再生性能を発揮したより適切な音声や映像でコンテンツを再生することが可能である。よって、ユーザー（視聴者）はＢＤレコーダー１０からＡＶレシーバー２０への音声設定を５．１ｃｈから７．１ｃｈサラウンドに変更する操作を要することなく、自動的により適切な音声や映像でコンテンツを視聴できる。
【０１１２】
尚、本実施形態では、音声サラウンド装置が録画時と再生時とで異なる場合を説明したが、ＴＶ受像器３０が変更されて映像形式などの再生性能が異なる他のＴＶ受像器が新たに接続された場合にも、前記と同様にして録画時の出力設定を変更すれば良い。また、ＴＶ受像器や音声サラウンド装置以外の機器がコンテンツ再生用に新たに接続された場合には、録画時の出力設定１５３Ｒに代えて、コンテンツ管理部１６５が番組情報１５２と再生時の外部機器の再生性能に関する情報１５３Ｐとに基づいて、再生時の外部機器への出力設定１５３Ｐを新たに作成し、決定すれば良い。
【０１１３】
また、以上の実施形態では、ＢＤレコーダー１０、ＡＶレシーバー２０、ＴＶ受像器３０間をＨＤＭＩケーブル２１、２２で接続したが、ワイヤレスＨＤＭＩで各機器間を接続して、無線通信により映像データ及び音声データを送受信する構成を採用しても良い。
【産業上の利用可能性】
【０１１４】
以上説明したように、本発明は、コンテンツの外部機器の再生性能などの属性情報を取得して、その属性情報と再生コンテンツに関する情報とに基づいてコンテンツの再生に対応したより適切な外部機器への出力設定を決定したので、ユーザーによるリモコン操作を要することなく再生コンテンツを外部機器の再生性能に合わせたより適切な映像や音声で再生することができ、コンテンツの録画再生装置やシステムに適用して、有用である。
【符号の説明】
【０１１５】
１０                        ＢＤレコーダー（録画再生装置）
２０                        ＡＶレシーバー（音声装置）
２１〜２３                  ＨＤＭＩケーブル
３０                        ＴＶ受像器（映像表示装置）
４０、５０                  音声サラウンド装置（音声装置）
１１０                      リモコン装置（操作部、選択手段）
２００、３１０              リモコン装置（操作部）
１３０                      ＨＤＭＩ制御部（接続部、情報取得部）
１５０                      記憶部
１５１                      コンテンツ
１５２                      番組情報
１５３                      外部機器の再生性能に関する情報（属性情報）
１５４，１５７              出力設定
１５８                      時間帯情報（選択情報）
１６２                      通信処理部
１６５                      コンテンツ管理部（管理部）
【図１】
2017152960.tif 000003
【図２】
2017152960.tif 000004
【図３】
2017152960.tif 000005
【図４】
2017152960.tif 000006
【図５】
2017152960.tif 000007
【図６】
2017152960.tif 000008
【図７】
2017152960.tif 000009
【図８】
2017152960.tif 000010
【図９】
2017152960.tif 000011
【図１０】
2017152960.tif 000012
【図１１】
2017152960.tif 000013
【図１２】
2017152960.tif 000014
【図１３】
2017152960.tif 000015
【図１４】
2017152960.tif 000016
【図１５】
2017152960.tif 000017
【図１６】
2017152960.tif 000018
【図１７】
2017152960.tif 000019
【図１８】
2017152960.tif 000020
【図１９】
2017152960.tif 000021
【図２０】
2017152960.tif 000022